(57)【要約】【課題】  重い製品をしっかりと包装でき、構造が簡単であり、組立工数や組立工数や製作工数や部品点数の増加を招かず、外から製品がよく見えるブリスタ包装体を提供する。【解決手段】  両端の小箱部（１４，１６）の間が表側に開放された外箱（１０）と、その内側に装填されるブリスタ（１２）とを備える。外箱（１０）は、両端に一体に設けた小箱部（１４，１６）から折返された折返し部（３８）と、内底部（２６）の両側縁から立上がる側壁部（３２）とを備える。ブリスタ（１２）は、製品（５２）を収容する主膨出部（４４）と、小箱部（１４，１６）内に進入して表方向へ膨出する副膨出部（４６，４８）と、これらを囲み外箱の内底部に対向するブリスタ底面部（５０）とを備える。折返し部（３８）の先端をブリスタ（１２）の主膨出部（４４）と副膨出部（４６，４８）との間の凹部（６２）に掛止め可能にした。【選択図】      図４
2005132432.tif 000002
【特許請求の範囲】
【請求項１】
製品を外側から目視可能に包装するブリスタ包装体であって、
両端の小箱部の間が表側に開放された外箱と、その内側に装填され透明な樹脂シートを成形して製品を収容する膨出部を設けたブリスタとを備え、
前記外箱は、その内底部の両端に一体に設けた小箱部から内底部側へ折返された折返し部と、内底部の両側縁から立上がる側壁部とを備え、
前記ブリスタは、外箱の内底部との間に製品を収容する主膨出部と、外箱の両端の小箱部内に進入し小箱部内で表方向へ膨出する副膨出部と、これら主膨出部および副膨出部の周囲を囲み外箱の内底部に対向するブリスタ底面部とを備え、
前記折返し部の先端を前記ブリスタの主膨出部と副膨出部との間の凹部に掛止め可能にしたことを特徴とするブリスタ包装体。
【請求項２】
ブリスタの副膨出部の中を製品の付属品収納部とした請求項１のブリスタ包装体。
【請求項３】
外箱の小箱部の上面の高さはブリスタの主膨出部より低くならないようにした請求項１または２の包装体。
【請求項４】
外箱の側壁部は上縁で内側へ折返されてその先端を内底部に掛止めた請求項１〜３のいずれかのブリスタ包装体。
【請求項５】
ブリスタを外箱内に装填した状態でブリスタ底面部が外箱の内面に接触し、その移動が規制される請求項１〜４のいずれかのブリスタ包装体。
【発明の詳細な説明】
【技術分野】
【０００１】
この発明は、透明なブリスタを用いて製品を外側から目視可能に包装するブリスタ包装体に関するものである。
【背景技術】
【０００２】
透明な樹脂シートを成形して製品を収容する膨出部を設けたブリスタが公知である。例えば特許文献１には、ブリスタの周縁を板状の台紙に接着固定したもの（ブリスタパック）が示されている。
【０００３】
特許文献２，３には、厚紙製の外箱に透明フィルムを貼った窓を設け、その中に製品を位置決め保持した中箱を充填するものが示されている。
【０００４】
【特許文献１】特開２００３−６３５６０
【特許文献２】実開平１１−１９８９２９号
【特許文献３】特開２００２−３７０７７８
【発明の開示】
【発明が解決しようとする課題】
【０００５】
特許文献１に示されたいわゆるブリスタパックやスライドブリスタパックは製品が小さい場合や軽い場合（例えばビス、アンカープラグなど）にはよいが、精密な電気製品などの重い製品の包装には適さないという問題がある。例えば電気かみそりなどの比較的重量が大きい製品では、ブリスタに外から衝撃が加わるとブリスタの一部が陥没して中の製品を傷めるおそれがあるからである。またブリスタを台紙に固定するため、両者にのり代を設けてのり付けしたり、ホッチキス止めをする必要があり、組立てが面倒でもある。
【０００６】
特許文献２，３に示されたものでは、外箱に透明フィルムを固定しておく必要があるため、外箱の製作工数が増え、部品点数が増える。また外箱の窓を小さくすると、外側から製品を目視により確認しにくくなり、反対に窓を大きくすると外箱の強度が不十分になる。
【０００７】
この発明はこのような事情に鑑みなされたものであり、重量が重い製品をしっかりと包装でき、また構造が簡単であり、組立工数や製作工数や部品点数の増加を招くことがなく、外から製品がよく見えるブリスタ包装体を提供することを目的とする。
【課題を解決するための手段】
【０００８】
この発明によればこの目的は、製品を外側から目視可能に包装するブリスタ包装体であって、両端の小箱部の間が表側に開放された外箱と、その内側に装填され透明な樹脂シートを成形して製品を収容する膨出部を設けたブリスタとを備え、前記外箱は、その内底部の両端に一体に設けた小箱部から内底部側へ折返された折返し部と、内底部の両側縁から立上がる側壁部とを備え、前記ブリスタは、外箱の内底部との間に製品を収容する主膨出部と、外箱の両端の小箱部内に進入し小箱部内で表方向へ膨出する副膨出部と、これら主膨出部および副膨出部の周囲を囲み外箱の内底部に対向するブリスタ底面部とを備え、前記折返し部の先端を前記ブリスタの主膨出部と副膨出部との間の凹部に掛止め可能にしたことを特徴とするブリスタ包装体、により達成されれる。
【発明の効果】
【０００９】
外箱にはその両端に小箱部を設け、両小箱部の間を表側へ開放させる一方、ブリスタの両端には小箱部内に進入して表方向へ膨出する副膨出部を設け、小箱部に設けた折返し部の先端を主膨出部と副膨出部との間の凹部に掛止させたものであるから、小箱部およびその中の副膨出部によって全体の強度を増大させることができる。
【００１０】
すなわち副膨出部はブリスタの強度を増大させる一方、小箱部はその中に副膨出部があるために両者の共働作用によって小箱部の強度が増え、両側の小箱部で主膨出部を挟むことになるため主膨出部内の製品を確実に保護することができる。また主膨出部の両側には側壁部との間に間隙ができるので、この間隙によって側方からの衝撃からも製品を保護することができる。
【００１１】
ブリスタは外箱の中に挿入し、折返し部をブリスタの凹部に掛止させ、外箱の蓋を閉じればよいから、のり付け接着やホッチキス（ステイプラー）止めが不用であり、組立てが簡単である。
【００１２】
またブリスタの主膨出部を外箱の両小箱部の間から外側（表側）に露出させたので、外箱には透明フィルムを貼った窓を設ける必要がない。このため外箱の構造が簡単であり、その製作工数や部品点数が増加することがない。さらに主膨出部と外箱の側壁部との間に間隔があり、主膨出部と副膨出部との間にも間隔があるからこれらの間隔を利用して主膨出部内の製品を目視できる。このため製品を外から（表側あるいは側方から）確認し易くなる。
【発明を実施するための最良の形態】
【００１３】
ブリスタの副膨出部の中は付属品の収納部として利用可能である。例えば製品が電池駆動式の電気かみそりの場合には、電池などをこの副膨出部に収納できる。このため副膨出部を設けても無駄な空間ができない。
【００１４】
小箱部は中に副膨出部があるため強度が増大するので、この小箱部の上面（表面）高さをブリスタの主膨出部の上面高さよりも低くならないようにするのがよい。このようにすれば、この包装体を上下に積み上げる時などに荷重を主膨出部で受けずに小箱部で受けることができるので、主膨出部およびその中の製品を保護するのに一層適する。この場合、副膨出部の上面を小箱部の内面に近接または接触させれば、小箱部の強度を増大させ外からの衝撃に対して一層強いものとすることができる。
【００１５】
外箱の側壁部は上縁で内側へ折返してその先端を外箱の内底部に掛止めれば、側壁部の強度を増大させることができる。この際、側壁部の折返し部分の中央付近に舌状の凸部を設け、これを内底部に設けた長孔に掛止させるようにすれば、折返し部分の凸部以外の先端縁をブリスタの周縁に係合させてブリスタが外箱内底部から浮き上がるのを防ぐことができる。
【００１６】
ブリスタを外箱内に装填した状態で、ブリスタ底面部の移動を外箱の内面で規制するようにしておけば、ブリスタが外箱内で移動せず、衝撃に対して製品を一層確実に保護することが可能になる。
【実施例１】
【００１７】
図１は本発明の一実施例の平面図、図２はそのII−II線断面図、図３は同じくIII−III線断面図、図４は全体の分解斜視図である。
【００１８】
これらの図において符号１０は厚紙で作られた外箱、１２はこの外箱の内側へ装填されるブリスタである。外箱１０は両端に小箱部１４，１６を持ち、それらの間が上方に向って開放されている。外箱１０は、一枚の厚紙を角筒状に折曲げて対向縁をのり代１８（図３，４参照）で接着する。
【００１９】
外箱１０の両端の開口は、左右両開口縁から延びる内折片２０，２０を内方へ折曲げ、その上に蓋部２２，２４を折重ねることにより閉じるものである。小箱部１４側の蓋部２２の先端は外箱１０の内底部２６と内折片２０，２０との間隙の挿入され、蓋部２２の先端の左右縁に設けた切込みを内折片２０に係合させてロックする。いわゆるサイドロック方式である。小箱部１６側の蓋部２４の先端は外箱１０の内底部２６と内折片２０，２０との間隙に挿入されると共に、内底部２６に設けたフック片２８を蓋部２４に設けた係合孔３０に係入する（サイドロック＋フック）方式である。
【００２０】
またこの外箱１０の小箱部１４，１６の間は上方に向って開き、内底部２６の左右両側縁からは小箱部１４，１６よりも低い側壁部３２、３２となっている。これら側壁部３２，３２は上縁で内側へ折返され、その先端は内底部２６に掛止している。すなわちこの折返し部分の先端縁中央付近に爪部３４，３４が凸設され、これらの爪部３４，３４を内底部２６に設けた長孔３６，３６に挿入している。この結果側壁部３２，３２の強度が大幅に増大し外箱１０が丈夫になる。
【００２１】
小箱部１４，１６の外箱１０の中央の開放部分を挟んで互いに対向する上縁には、折返し部３８，３８が形成されている。これら折返し部３８，３８は内底部２６側へ向って折返し可能であり、後記するブリスタ１２に掛止めるものである。
【００２２】
なお外箱１０の内底部２６は小箱部１４側へ延出し、この延出部４０は吊下げ展示用の掛止め部となっている。すなわち延出部４０は折返されてその先端を、小箱部１４の蓋部２２の先端と内底部２６との間に挿入可能であり、折重ねた部分に吊下げ用の掛止め孔４２が形成されている。この掛止め孔４２を販売展示用の棚に設けたフック（図示せず）に掛けておくものである。
【００２３】
ブリスタ１２はＰＥＴ樹脂（ポリエチレンテレフタレート樹脂）などの透明な樹脂シートを成形したものであり、中央で製品を収容する主膨出部４４と、その両側で主膨出部４４と同方向（上方、表側）へ膨出する副膨出部４６，４８と、これらの周囲を囲むブリスタ底面部５０とを持つ。ブリスタ底面部５０は外箱１０の内底部２６とほぼ重なる外形を持ち、このブリスタ１２を外箱１０内に装填した時にブリスタ１２が内底部２６に重なって外箱１０内で移動するのを規制する。
【００２４】
主膨出部４４内には製品、例えば電池駆動の電気かみそり５２と、これを収納するポーチ５４とが装填される（図２，３参照）。また一方の副膨出部４８はその内部に付属品である単３乾電池５６が２本収納可能である。ブリスタ１２は製品５２や付属品５６を主・副膨出部４４，４８に入れ、その下面に厚紙からなる底板５８を重ねた状態で外箱１０に装填される。すなわち外箱１０は予め蓋部２２，２４を開いた状態で用意し、開いた蓋板２４側から底板５８とブリスタ１２を挿入する。そして折返し部３８，３８の爪部６６，６６をブリスタ１２の掛止孔６４，６４に挿入する。その後蓋部２４を閉じ、フック２８でロックする。
【００２５】
図４において６０は取扱説明書であり、ブリスタ１２および底板５８を外箱１０に挿入する際に、底板５８と外箱１０の内底部２６との間に挟み込む。このようにブリスタ１２，底板５８，取扱説明書６０などを外箱１０に装填した後、外箱１０の折返し部３８，３８をブリスタ１２に掛止める。すなわちブリスタ１２の主膨出部４４と副膨出部４６，４８との間にできる凹部６２には掛止孔６４，６４（図１，２，４）が形成され、折返し部３８，３８の先端に設けた爪部６６，６６をこの掛止孔６４，６４に挿入する。
【図面の簡単な説明】
【００２６】
【図１】本発明に係る一実施例の平面図
【図２】II−II線断面図
【図３】III−III線断面図
【図４】全体の分解斜視図
【符号の説明】
【００２７】
１０  外箱
１２  ブリスタ
１４、１６  小箱部
２６  内底部
３２  側壁部
３８  折返し部
４４  主膨出部
４６，４８  副膨出部
５０  ブリスタ底面部
５２  製品（電気かみそり）
５４  付属品（ポーチ）
５８  底板
６０  取扱説明書
６２  凹部
６４  掛止孔
６６  爪部
【図１】
2005132432.tif 000003
【図２】
2005132432.tif 000004
【図３】
2005132432.tif 000005
【図４】
2005132432.tif 000006